(57)【要約】【課題】座の外周面等にメッキやアルマイトその他の塗装などにより美しく仕上加工をする必要のないハンドル錠の提供。【解決手段】一対の把手５０，５１は、略コ字形状であり、扉３の室外側と室内側の扉面に設置された上・下両側の座４，５に可動自在に取り付けられる。外側把手５０側の座４には扉３をほぼ貫通する取付柱６１が設けてあり、扉３の外面及び内面に外側の座４，５、内側の座４，５を対称的に配置して、取付柱６１に形成された雌ねじ６１ａに扉３の室内側から取付板を介して取付ネジ６３により、上側の座４，４、下側の座５，５を扉３の内外の扉面に固定する。把手５０，５１の両端部には、断面矩形状の短筒状の座４，５を収容可能な凹部５０ａ，５１ａが形成されている。【選択図】　　　図３
2004137841.tif 000002
【特許請求の範囲】
【請求項１】
扉の戸先側に設けられ、ラッチボルトを有するラッチ錠と、
扉の両面にそれぞれ座を介して設けられ、押しと引きの一方又は双方の操作ができるように保持された把手と、
この把手の前記操作により前記ラッチ錠のラッチボルトを後退可能とする作動機構とを備えるハンドル錠において、
前記把手の少なくとも一端部には、前記座を覆う凹部が形成されている
ことを特徴とするハンドル錠。
【請求項２】
前記座は、短筒形状であり、扉表面から突出して扉の両面に２個ずつ設置されており、
前記ハンドル錠は、略コ字形であり、その開放両端部には、前記座に外嵌される前記凹部が形成されている
ことを特徴とする請求項１に記載のハンドル錠。
【発明の詳細な説明】
【０００１】
【発明の属する技術分野】
本発明は、把手の押し操作や引き操作により扉を開閉するハンドル錠に関するものである。
【０００２】
【従来の技術】
従来より、プッシュ・プル式のハンドル錠が知られている。
図８及び図９は、特開２０００−２９１３０８号公報に示される従来のプッシュ・プル式ハンドル錠を示し、図８は、一点鎖線で示す扉の開放端側から見た側面図であり、図９は、正面図である。
【０００３】
通常、ハンドル錠は、一対の把手７４，７５が、扉７０の室外側と室内側の各扉面（扉の表面又は裏面）に上下に離間して配置された座７１，７２を介して設けられる。しかも、その際、一対の把手は、扉に内蔵される錠ケース７３を挟んだ対称位置に取り付けられる。座７１，７２には、把手７４，７５の押し操作又は引き操作により、ラッチ錠の錠ケース７３から出没自在に設けられたラッチボルト７６の後退を許容する作動機構が設けられている。
【０００４】
上下両側の座７１，７２は、扉面に対面する基端側（錠ケース側）に開口した略筒状のものであって、この座７１，７２の先端壁には把手７４，７５の端部が接続される。
そして、把手７４，７５の上端部に設けられた連結部が、座７１に設けられた前記作動機構と接続されており、把手７４，７５の押し操作又は引き操作によりラッチ錠のラッチボルト７６が進退可能とされている。なお、この連結部等が外部から見えないように、座７１，７２の先端側小径部が、把手７４，７５の端部にわずかに挿入されている。
【０００５】
【発明が解決しようとする課題】
しかしながら、従来の構造では、座自体は、扉表面からの突出部が外部にその高さ方向に大きく露出しており、人の目に触れる状態であった。このため、座の外周面等を把手と同様に、メッキやアルマイトその他塗装などにより美しく仕上加工をする必要があった。その結果、座の製造・加工には、時間と手間がかかり、費用もかかっていた。
【０００６】
本発明は上記事情に鑑みてなされたものであり、その主たる目的は、座の外周面をほとんど加工する必要がなく、全体として極めて安価なハンドル錠を提供することにある。
【０００７】
【課題を解決するための手段】
上記目的を達成するために、本発明のハンドル錠は、扉の戸先側に設けられ、ラッチボルトを有するラッチ錠と、扉の両面にそれぞれ座を介して設けられ、押しと引きの一方又は双方の操作ができるように保持された把手と、この把手の前記操作により前記ラッチ錠のラッチボルトを後退可能とする作動機構とを備えるハンドル錠において、前記把手の少なくとも一端部には、前記座を覆う凹部が形成されていることを特徴とする。
【０００８】
また、好ましくは上記構成に加えて、前記座は、短筒形状であり、扉表面から突出して扉の両面に２個ずつ設置されており、前記ハンドル錠は、略コ字形であり、その開放両端部には、前記座に外嵌される前記凹部が形成されていることを特徴とするハンドル錠である。
【０００９】
【発明の実施の形態】
以下、本発明のハンドル錠について、実施例に基づき更に詳細に説明する。
図１は、本発明のハンドル錠を外開き扉に取り付けた状態を示す図であり、室外側から見た正面図である。
本実施例のハンドル錠は、図１に示すように、扉枠６０の一方の縦枠に、ヒンジ２，２を介して蝶着された扉３に適用される。
【００１０】
図２は、錠ケース１の一部を破断して示したハンドル錠の正面図である。
扉３の戸先側の上下方向中央部には、ラッチボルト６やデッドボルト９１を備える錠ケース１が埋設して取り付けられ、その錠ケース１を挟むように、扉３の表裏面にはそれぞれ把手５０，５１が設けられている。本実施例では、この把手５０，５１の上端部の動作によりラッチボルト６の進退が可能とされる従来公知の機構を採用している。
【００１１】
図２に示すように、扉３の戸先側には、錠ケース１と、この錠ケース１内に内蔵されているラッチ錠２０と、シリンダー９０をキー又は図示しない室内側のサムターンの操作によって動作させて施解錠するデッドボルト９１付きの施錠機構部３５などを備えた錠本体１００が埋設されている。
なお、図１に示すように、前記把手５０（５１）は、その上端部が錠本体１００に設置される座４に可動自在に取り付けられる一方、その下端部が扉表面に設置される座５に可動自在に取り付けられる。
【００１２】
錠ケース１は、図２に示すように、錠ケース本体１ａと、錠ケース蓋１ｂと、錠ケース１の前板１ｃ、及びそれに重ね合わされるフロント板１ｄからなる。扉３の戸先側端部に該錠ケース１を埋設し、錠ケース１の前板１ｃとフロント板１ｄとの上下両部を扉３の戸先側端面にビス１ｅで固定する。これにより、ラッチボルト６とデッドボルト９１は、戸先側端面から突出可能とされる。なお、ラッチ錠２０は、ラッチボルト６とラッチバネ７などからなる。
【００１３】
図３は、扉両面に取り付けられる把手付きハンドル錠の側面図である。また、図４は、ハンドル錠の内、ラッチ錠部分のみを使用した場合の正面図である。つまり、図４は、扉３を正面から見た状態の戸先側端部のラッチ錠のみのハンドル錠を示しており、座４，５に把手５０が取り付けられている。なお、図３及び図４において、扉は一点鎖線で示している。
図３に示すように、一対の把手５０，５１は、略コ字形状であり、扉３の室外側と室内側の扉面（扉の表面又は裏面）に上下に離間して設けられる座４，５に可動自在に設けられる。その際、一対の把手５０，５１は、錠ケース１を挟んだ対称位置に取り付けられる。
なお、本実施例では、縦向きに把手５０，５１が取り付けられる例について説明するが、横向きなどであっても構わない。
【００１４】
扉３の室外側と室内側の扉面（扉の表面又は裏面）には、上下に離間して、座４，５を設けている。室外側の座４，５と室内側の座４，５は、対称位置に配置される。外側把手５０側の座４，５には、扉３を厚さ方向にほぼ貫通する取付柱６１が一体的に設けてあり、この取付柱６１の先端部には、先端面に開口して雌ねじ（ねじ穴）６１ａが形成されている。従って、その雌ねじ６１ａに扉３の室内側から取付板（図示せず）を介して取付ネジ６３をねじ込むことにより、上側の座４，４や下側の座５，５は、扉３の内外の扉面に固定される。
【００１５】
前記外側把手５０と内側把手５１は、押しと引きの一方又は双方の操作ができるように、開放両端部をそれぞれ上側の座４と下側の座５に取り付けられ、扉３の外側又は内側に保持される。このとき、把手５０，５１の下端部は、下側の座５，５に枢支５０ｂ、５１ｂされている。そして、把手５０，５１の上端部は、これを軸として回動可能に上側の座４，４に保持されている。
【００１６】
図５は、ラッチボルト６が反転する状態を示す概略平面図であり、図６は、ラッチボルト６の斜視図である。
ラッチ錠２０は、本発明では特に限定しないが、本実施例では、いわゆる反転式のラッチボルト６を用いている。図５，６に示すように、ラッチボルト６は、先端の扉閉じ方向の面を傾斜面６ａとするとともに、扉枠６０に取り付けた受部材（ストライキ）５５の係合孔９３に係合する面を係合面６ｂとした平面視略菱形で、後部の上下には対称的に一体形成した膨出部６ｃ，６ｃに前後方向に係合溝６ｄ，６ｄを形成し、後端部にはラッチバネ７の一端を嵌入するための傾斜した嵌合凹部６ｅを形成している。
【００１７】
一方、錠ケース１の前板１ｃ及びフロント板１ｄの出入口１ｆを臨むように、該出入口１ｆから錠ケース１内の後方には断面コ字状のバネ受９が設けられ、このバネ受９とラッチボルト６の嵌合凹部６ｅ間にはラッチバネ７を設けている。したがって、このラッチバネ７の付勢力によって前記ラッチボルト６の前部は、図２に示すように、常時は錠ケース１の出入口１ｆから出没可能に突出されている。
【００１８】
錠ケース１内にはラッチボルト６の施錠時に反転を阻止するための上下一対のロッキングピース（操作部材）１１，１１が、ラッチボルト６を挟んだ状態で設けてあり、いずれも断面が略コ字状であって、いずれも略中央部を錠ケース１の側板（錠ケース蓋１ｂとその背面の板）間に枢軸１２，１２で揺動自在に枢支し、前端部に突出形成した係合片１３，１３がラッチボルト６の係合溝６ｄ，６ｄに常時係合するようにつる巻きバネ１４で付勢されている。上記係合状態時にはラッチボルト６は反転が阻止される。
【００１９】
一方のロッキングピース１１を、その係合片１３が、ラッチボルト６の係合溝６ｄとの係合を解除する方向に揺動（回動）することにより、これに連動して他方のロッキングピース１１も連動して揺動し、その係合片１３もラッチボルト６の他方の係合溝６ｄから離脱されるように、前記一対のロッキングピース１１，１１の略中央部に対向して突設した連結片１６，１６をピン１５で枢支連結してある。連結片１６，１６としては、上部ロッキングピース１１の一辺を少し折り曲げ、該折り曲げ部を下部ロッキングピース１１の断面コ字状部に嵌入して、両連結片１６，１６をピン１５で枢支してある。
【００２０】
両ロッキングピース１１，１１の後端部には係合部１７，１７が形成されており、この係合部１７，１７は把手５０，５１を保持する座４，４の内部に枢支された作動部材３０，３０の作動部３１によって上下動する縦向き把手用のスライダー２５（第１スライダー２６、第２スライダー２７）の一部に当接しており、把手５０，５１の押し又は引きの操作により作動部材３０を介してスライダー２５が上動又は下動してロッキングピース１１，１１を揺動し、ロッキングピース１１，１１の係合片１３，１３をラッチボルト６の係合溝６ｄ，６ｄから離脱させるように構成してある。
【００２１】
そして、扉面に取り付けた上側の座４，４には、把手５０，５１の上端部に形成された連結部１８を介して、把手５０，５１が回動可能に保持されている。ラッチ錠２０側（上側）の座４の内部には、前記作動部材３０と一体形成又は固着されたリンク３２が枢軸３６を支点にして回動自在に枢支されている。一方、把手５０，５１の下端部は、下側の座５，５に回動可能に枢支５０ｂ，５１ｂされている。なお、把手５０，５１の下端側に形成された下側の座５，５の内部にも、図示していないが、上側の座４，４と同様に作動部材３０を設け、把手５０，５１の上端部と同様に連結保持させることもできる。
【００２２】
ここで、前記スライダー２５とロッキングピース１１（特に係合部１７）は、作動部材３０に連動される操作部材４０を構成する。また、リンク３２と作動部材３０とスライダー２５とロッキングピース１１の係合部１７とは、作動機構１０を構成する。
【００２３】
上下両側の座４，５は、図３に示すように、扉面に対面する基端側（錠ケース側）を開口した断面矩形状の短筒状である。そして、上側の座４の先端壁４ａには、把手５０，５１の連結部１８を挿入するための孔４ｂが形成されている。
【００２４】
把手５０，５１の連結部１８を、座４の挿入孔４ｂを経て座４の空間部４ｃに挿入し、該連結部１８の先端部とリンク３２の一端とをピン５６で接続する。
【００２５】
作動部材３０とリンク３２とは略Ｌ字状に一体形成されており、この一体物を上側の座４の空間部４ｃ内に挿入し、その屈曲部（折曲部）を該座４の左右側壁間に枢軸３６にて枢支して、該枢軸３６を支点としてリンク３２及び作動部材３０が回動されるようにしてある。
【００２６】
また、把手５０，５１の下端部は、下側の座５，５に回動可能に枢支５０ｂ，５１ｂされているが、上側の座４，４と同様に作動部材３０を設け、把手５０，５１の上端部と同様に連結保持させることもできる。
上側の座４、リンク３２及び作動部材３０の構造について外側把手５０との結合状態について説明したが、内側把手５１の結合状態もほぼ同様である。
【００２７】
以上のような構成により、外側把手５０及び内側把手５１の押し操作若しくは引き操作により、リンク３２、作動部材３０、操作部材４０を介してラッチ錠２０の施錠状態が解錠され、開扉できるようになる。
【００２８】
例えば、図３で外側把手５０を引き操作すると、把手５０は下側の軸５０ｂを支点に図３の時計方向に回動し、図７に示すように、上側の座４に設けたリンク３２が枢軸３６を支点に時計方向に回動し、作動部３１は、時計方向へ回動（上動）し、（図２に示す）錠ケース１内のラッチ錠の作動機構１０の第２スライダー２７が上動することで下側のロッキングピース１１の係合部１７が上動され、係合片１３がラッチボルト６の係合溝６ｄから離脱されてラッチボルト６の後退が可能となり、そこで扉３を開くことにより開扉される。
【００２９】
また、内側把手５１を押し操作すると、把手５１は下側の軸５１ｂを支点に図３の時計方向に回動し、上側の座４に設けたリンク３２が枢軸３６を支点に時計方向に回動し、作動部３１は、時計方向へ回動（下動）し、ラッチ錠の作動機構１０の第１スライダー２６が下動することで上側のロッキングピース１１の係合部１７が下動され、係合片１３がラッチボルト６の係合溝６ｄから離脱されてラッチボルト６の後退が可能となり、そこで扉３を開くことにより開扉される。
【００３０】
外側把手５０と内側把手５１は、図３に示されるように、縦長の同一形状のものとされる。そして、本実施例の把手５０，５１の両端部には、断面矩形状の短筒状の座４，５を収容可能な凹部５０ａ，５１ａが形成されている。
【００３１】
これにより、扉３に設置された座４，５に把手５０，５１を取り付けた際、座４，５は、前記凹部５０ａ，５１ａ内に収容されて、隠れるので外から見えることがない。なお、扉３の表面（座の基端部）と、把手の凹部の開口側端面との間には、把手の操作が可能な微小な隙間（例えば４〜５ｍｍ）をあけており、その部分においてのみ、座が外部へ露出することになるが、通常の使用状態では殆ど見えない。
【００３２】
よって、従来のように、座４，５の外周面等を把手と同様に、メッキやアルマイトその他塗装などにより美しく仕上加工をする必要がなくなる。これにより、座４，５をプレスなどにより簡単に形成することができる。したがって、座４，５の外周面をほとんど仕上加工する必要がなくなり、製造・加工の時間が短縮されることで、全体として極めて安価なハンドル錠を作ることが可能となり、従来に比べ、コストを下げることが可能である。
【００３３】
なお、本発明のハンドル錠は、上記実施例の構成に限らず、適宜変更可能である。例えば、上記実施例では、室外側の把手は、引き操作、室内側の把手は、押し操作としたが、その逆であってもよいし、押し又は引きの操作の両方可能な把手を備えるハンドル錠であっても構わない。
【００３４】
【発明の効果】
以上詳述したように、本発明のハンドル錠によれば、座の外周面等を把手と同様に、メッキやアルマイトその他塗装などにより美しく仕上加工する必要がなく、全体として極めて安価なハンドル錠を製造することが可能となる。
【図面の簡単な説明】
【図１】本発明のハンドル錠を外開き扉に取り付けた状態を示す図であり、室外側から見た正面図である。
【図２】図１のハンドル錠の錠ケースの一部を破断して示したハンドル錠の正面図である。
【図３】扉両面に取り付けられた図１の把手付きハンドル錠の側面図である。
【図４】図３のハンドル錠の内、ラッチ錠部分のみを使用した場合の正面図である。
【図５】図１のハンドル錠のラッチボルトが反転する状態を示す概略平面図である。
【図６】図５のラッチボルトの斜視図である。
【図７】図３の状態から外側把手を引き操作した状態を示す側面図である。
【図８】従来のプッシュ・プル式ハンドル錠を示し、一点鎖線で示す扉の戸先側から見た側面図である。
【図９】図８のハンドル錠の正面図である。
【符号の説明】
１　錠ケース
１ａ　錠ケース本体
１ｂ　錠ケース蓋
１ｃ　前板
１ｄ　フロント板
１ｅ　ビス
１ｆ　出入口
２　ヒンジ
３　扉
４　上側（ラッチ錠側）の座
４ａ　後壁
４ｂ　孔
４ｃ　空間部
５　下側の座
６　ラッチボルト
６ａ　傾斜面
６ｂ　係合面
６ｃ　膨出部
６ｄ　係合溝
６ｅ　嵌合凹部
７　ラッチバネ
９　バネ受
１０　作動機構
１１　ロッキングピース（操作部材）
１２　枢軸
１３　係合片
１４　つる巻きバネ
１５　ピン
１６　連結片
１７　係合部（操作部材）
１８　連結部
２０　ラッチ錠
２５　スライダー（操作部材）
２６　第１スライダー
２７　第２スライダー
３０　作動部材
３１　作動部
３２　リンク
３６　枢軸
３５　本施錠機構部
４０　操作部材
５０　（外側）把手
５１　（内側）把手
５５　受部材（ストライキ）
５６　ピン
６０　扉枠
６１　取付柱
６１ａ　雌ねじ
６３　取付ネジ
９０　シリンダー
９１　デッドボルト
９３　係合孔
１００　錠本体
【図１】
2004137841.tif 000003
【図２】
2004137841.tif 000004
【図３】
2004137841.tif 000005
【図４】
2004137841.tif 000006
【図５】
2004137841.tif 000007
【図６】
2004137841.tif 000008
【図７】
2004137841.tif 000009
【図８】
2004137841.tif 000010
【図９】
2004137841.tif 000011